(57)【要約】【課題】同期されたデータを、必要に応じてサーバ上にある詳細情報を簡単に印刷・提示することができる環境を構築することを可能にする情報処理プログラム、情報管理装置、出力装置、クライアント装置、情報処理システムおよびその情報処理方法を提供する。【解決手段】情報単位検索部がクライアント単位群保持部から検索条件に合致した情報単位を検索して情報単位提示部に提示し、情報単位を印刷対象として指定し、印刷提示サーバアドレス表示部を印刷提示サーバアドレス撮影部によって撮影し、印刷提示サーバアドレス認識部によってアドレス文字列として認識し、クライアント印刷提示制御部は印刷対象の情報単位と印刷先の印刷提示サーバアドレスとをサーバ印刷提示制御部に送付し、サーバ印刷提示制御部は情報単位を取り出して指定された印刷提示サーバ制御部に送付し、印刷提示サーバ制御部は情報単位の印刷画像を生成して印刷する。【選択図】図１
2006277029.tif 000002
【特許請求の範囲】
【請求項１】
ネットワークを介してクライアント装置と出力装置と接続する情報管理装置を動作させる情報処理プログラムにおいて、
情報単位の集合である情報単位群を保持手段に保持する処理と、
前記クライアント装置から送付された出力対象の情報単位を、前記保持手段から取り出る処理と、
前記クライアント装置から送付された出力装置に対して、前記取り出した出力対象の情報単位の出力を依頼する処理と
を情報管理装置に動作させることを特徴とする情報処理プログラム。
【請求項２】
ネットワークを介してクライアント装置と出力装置と接続する情報管理装置を動作させる情報処理プログラムにおいて、
前記情報単位の集合である情報単位群を保持手段に保持する処理と、
前記出力装置から要求された情報単位を、前記保持手段から取り出す処理と、
該取り出した情報単位を、前記出力装置に対して送付する処理と
を情報管理装置に動作させることを特徴とする情報処理プログラム。
【請求項３】
ネットワークを介してクライアント装置と情報管理装置と接続する出力装置を動作させる情報処理プログラムにおいて、
前記出力装置の特定情報を提示する処理と、
前記情報処理装置から依頼された情報単位の出力を行う処理と
を出力装置に動作させることを特徴とする情報処理プログラム。
【請求項４】
前記特定情報は、
画像認識処理に適した形態で提示する
ことを特徴とする請求項３記載の情報処理プログラム。
【請求項５】
前記出力は、
前記情報単位の画像を印刷することである
ことを特徴とする請求項３記載の情報処理プログラム。
【請求項６】
前記出力は、
前記情報単位の画像を表示手段に表示する
ことを特徴とする請求項３記載の情報処理プログラム。
【請求項７】
ネットワークを介してクライアント装置と情報管理装置と接続する出力装置を動作させる情報処理プログラムにおいて、
前記クライアント装置で提示された特定情報を読み取る処理と、
該読み取った特定情報に基づき、前記クライアント装置が指定した出力対象の情報単位を認識する処理と、
該認識した情報単位を、前記情報管理装置に対して要求する処理と、
前記情報管理装置から送付された情報単位を出力する処理と
を出力装置に動作させることを特徴とする情報処理プログラム。
【請求項８】
前記特定情報が画像認識処理に適した形態である場合は、該特定情報を画像認識処理する
ことを特徴とする請求項７記載の情報処理プログラム。
【請求項９】
前記出力は、
前記情報単位の画像を印刷することである
ことを特徴とする請求項７記載の情報処理プログラム。
【請求項１０】
前記出力は、
前記情報単位の画像を表示手段に表示する
ことを特徴とする請求項７記載の情報処理プログラム。
【請求項１１】
ネットワークを介して情報管理装置と出力装置と接続するクライアント装置を動作させる情報処理プログラムにおいて、
前記管理情報装置から取得した情報単位の集合である情報単位群を保持手段に保持する処理と、
前記保持手段に保持されている情報単位を出力対象として指定する処理と、
前記出力対象として指定した情報単位の出力先である出力装置が提示する該出力装置の特定情報を読み取る処理と、
該読み取った特定情報に基づき、前記出力装置のネットワーク上の場所情報を認識する処理と、
前記情報管理装置に対して、前記情報単位の特定情報および前記認識した出力装置のネットワーク上の場所情報を送付する処理と
をクライアント装置に動作させることを特徴とする情報処理プログラム。
【請求項１２】
前記特定情報が画像認識処理に適した形態である場合は、該特定情報を画像認識処理する
ことを特徴とする請求項１１記載の情報処理プログラム。
【請求項１３】
ネットワークを介して情報管理装置と出力装置と接続するクライアント装置を動作させる情報処理プログラムにおいて、
前記管理情報装置から取得した情報単位の集合である情報単位群を保持手段に保持する処理と、
前記保持手段に保持されている情報単位を出力対象として指定する処理と、
前記出力対象として指定した情報単位の特定情報を提示する処理と
をクライアント装置に動作させることを特徴とする情報処理プログラム。
【請求項１４】
前記特定情報は、
画像認識処理に適した形態で提示する
ことを特徴とする請求項１３記載の情報処理プログラム。
【請求項１５】
ネットワークを介してクライアント装置と出力装置と接続する情報管理装置において、
情報単位の集合である情報単位群を保持する情報単位群保持手段と、
前記クライアント装置から送付された情報単位の特定情報に基づき、前記情報単位群保持手段から該情報単位を取り出す情報単位取出し手段と、
前記クライアント装置から送付された出力装置のネットワーク上の場所情報に基づき、該出力装置に対して、前記情報単位取出し手段で取り出した情報単位の出力を依頼する出力依頼手段と
を具備することを特徴とする情報管理装置。
【請求項１６】
ネットワークを介してクライアント装置と出力装置と接続する情報管理装置において、
情報単位の集合である情報単位群を保持する情報単位群保持手段と、
前記出力装置から要求された情報単位を、前記情報単位群保持手段から取り出す情報単位取出し手段と、
前記情報単位取出し手段で取り出した情報単位を、前記出力装置に対して送付する送付手段と
を具備することを特徴とする情報管理装置。
【請求項１７】
ネットワークを介してクライアント装置と情報管理装置と接続する出力装置において、  前記ネットワーク上の場所情報を提示する場所情報提示手段と、
前記情報管理装置から依頼された情報単位の出力を行う出力手段と
を具備することを特徴とする出力装置。
【請求項１８】
ネットワークを介してクライアント装置と情報管理装置と接続する出力装置において、
前記クライアント装置で提示された情報単位の特定情報を読み取る特定情報読取手段と、
前記特定情報読取手段で読み取った特定情報に基づき、前記クライアント装置で指定された出力対象の情報単位を認識する情報単位認識手段と、
前記情報単位認識手段で認識した情報単位を、前記情報管理装置に対して要求する情報単位要求手段と、
前記情報管理装置から送付された情報単位を出力する出力手段と
を具備することを特徴とする出力装置。
【請求項１９】
ネットワークを介して情報管理装置と出力装置と接続するクライアント装置において、
前記情報管理装置から取得した情報単位の集合である情報単位群を保持する情報単位群保持手段と、
前記情報単位保持手段に保持されている情報単位を出力対象として指定する出力対象指定手段と、
前記出力対象指定手段で指定した情報単位の出力先である出力装置が提示する該出力装置の特定情報を読み取る特定情報読取手段と、
前記特定情報読取手段で読み取った特定情報に基づき、前記出力装置のネットワーク上の場所情報を認識する場所情報認識手段と、
前記情報管理装置に対して、前記情報単位の特定情報および前記認識した出力装置のネットワーク上の場所情報を送付する送付手段と
を具備することを特徴とするクライアント装置。
【請求項２０】
ネットワークを介して情報管理装置と出力装置と接続するクライアント装置において、
前記情報管理装置から取得した情報単位の集合である情報単位群を保持する情報単位群保持手段と、
前記情報単位保持手段に保持されている情報単位を出力対象として指定する出力対象指定手段と、
前記出力対象指定手段で指定した情報単位の特定情報を提示する特定情報提示手段と
を具備することを特徴とするクライアント装置。
【請求項２１】
ネットワークを介してクライアント装置と情報管理装置と出力装置とが接続する情報処理システムにおいて、
前記クライアント装置は、
前記情報管理装置から取得した情報単位の集合である情報単位群を保持する第１の情報単位群保持手段と、
前記第１の情報単位保持手段に保持されている情報単位を出力対象として指定する出力対象指定手段と、
前記出力対象指定手段で指定した情報単位の出力先である出力装置が提示する該出力装置の特定情報を読み取る特定情報読取手段と、
前記特定情報読取手段で読み取った特定情報に基づき、前記出力装置のネットワーク上の場所情報を認識する場所情報認識手段と、
前記情報管理装置に対して、前記情報単位の特定情報および前記認識した出力装置のネットワーク上の場所情報を送付する送付手段と
を具備し、
前記情報管理装置は、
前記情報単位の集合である情報単位群を保持する第２の情報単位群保持手段と、
前記クライアント装置の送付手段から送付された情報単位の特定情報に基づき、前記第２の情報単位群保持手段から該情報単位を取り出す情報単位取出し手段と、
前記クライアント装置の送付手段から送付された出力装置のネットワーク上の場所情報に基づき、該出力装置に対して、前記情報単位取出し手段で取り出した情報単位の出力を依頼する出力依頼手段と
を具備し、
前記出力装置は、
前記出力装置のネットワーク上の場所情報を提示する場所情報提示手段と、
前記情報管理装置の出力依頼手段から依頼された情報単位の出力を行う出力手段と
を具備することを特徴とする情報処理システム。
【請求項２２】
ネットワークを介してクライアント装置と情報管理装置と出力装置とが接続する情報処理システムにおいて、
前記クライアント装置は、
前記情報管理装置から取得した情報単位の集合である情報単位群を保持する第１の情報単位群保持手段と、
前記第１の情報単位保持手段に保持されている情報単位を出力対象として指定する出力対象指定手段と、
前記出力対象指定手段で指定した情報単位の特定情報を提示する特定情報提示手段と
を具備し、
前記出力装置は、
前記クライアント装置の特定情報提示手段で提示した情報単位の特定情報を読み取る特定情報読取手段と、
前記特定情報読取手段で読み取った特定情報に基づき、前記クライアント装置の出力対象指定手段で指定した出力対象の情報単位を認識する情報単位認識手段と、
前記情報単位認識手段で認識した情報単位を、前記情報管理装置に対して要求する情報単位要求手段と、
前記情報管理装置から送付された情報単位を出力する出力手段と
を具備し、
前記情報管理装置は、
前記情報単位の集合である情報単位群を保持する第２の情報単位群保持手段と、
前記出力装置の情報単位要求手段から要求された情報単位を、前記第２の情報単位群保持手段から取り出す情報単位取出し手段と、
前記情報単位取出し手段で取り出した情報単位を、前記出力装置に対して送付する送付手段と
を具備することを特徴とする情報処理システム。
【請求項２３】
ネットワークを介してクライアント装置と情報管理装置と出力装置とが接続する情報処理システムの情報処理方法において、
前記クライアント装置は、
前記情報管理装置から取得した情報単位の集合である情報単位群の中から情報単位を出力対象として指定し、
該指定した情報単位の出力先である出力装置が提示する該出力装置の特定情報を読み取り、
該読み取った特定情報に基づき、前記出力装置のネットワーク上の場所情報を認識し、
前記情報管理装置に対して、前記情報単位の特定情報および前記認識した出力装置のネットワーク上の場所情報を送付し、
前記情報管理装置は、
前記クライアント装置の送付手段から送付された情報単位の特定情報に基づき、保持している情報単位群から該情報単位を取り出し、
前記クライアント装置から送付された出力装置のネットワーク上の場所情報に基づき、該出力装置に対して、前記取り出した情報単位の出力を依頼し、
前記出力装置は、
前記情報管理装置から依頼された情報単位の出力を行う
ことを特徴とする情報処理システムの情報処理方法。
【請求項２４】
ネットワークを介してクライアント装置と情報管理装置と出力装置とが接続する情報処理システムの情報処理方法において、
前記クライアント装置は、
前記情報管理装置から取得した情報単位の集合である情報単位群の中から情報単位を出力対象として指定し、
該指定した情報単位の特定情報を提示し、
前記出力装置は、
前記クライアント装置で提示された情報単位の特定情報を読み取り、
該読み取った特定情報に基づき、前記クライアント装置で指定された出力対象の情報単位を認識し、
該認識した情報単位を、前記情報管理装置に対して要求し、
前記情報管理装置は、
前記情報単位群を保持する第２の情報単位群保持手段と、
前記出力装置の情報単位要求手段から要求された情報単位を、保持している情報単位群から該情報単位を取り出し、
該取り出した情報単位を、前記出力装置に対して送付し、
前記出力装置は、
前記情報管理装置から送付された情報単位を出力する
ことを特徴とする情報処理システムの情報処理方法。
【発明の詳細な説明】
【技術分野】
【０００１】
本発明は、情報処理プログラム、情報管理装置、出力装置、クライアント装置、情報処理システムおよびその情報処理方法に関し、特に、多数の断片的な情報単位の保持・管理を行う情報処理プログラム、情報管理装置、出力装置、クライアント装置、情報処理システムおよびその情報処理方法に関する。
【背景技術】
【０００２】
断片的な情報（以後、情報単位と称する）を数多く保持し、管理する環境においては、様々な環境から入力された情報単位を効率的に一元管理することが求められている。こういった目的を達成するためには、複数の情報環境で保持される情報単位群を同期して、どのような環境から入力されたデータもすべて同様に扱うことができるようにすることが一般的である。
【０００３】
しかしながら、近年では通常のパーソナルコンピュータ（以後、ＰＣと称する）に加えて、ＰＤＡ［Personal Digital Assistance］と呼ばれる小型の携帯コンピュータや、携帯電話が情報機器として使用されることが多い。この種の携帯機器においては、情報を保持できる容量、画面サイズ、計算能力等において、通常のＰＣよりも劣る場合が多い。このような状況では、ＰＣに保持される情報単位群と小型携帯機器上に保持される情報単位群とを全く同じデータ構造で同期させることは困難であるばかりでなく、不適切である場合も多い。このような場合には、データの一部や概要情報だけを同期したことが必要になる。このようにして、同期されているデータは、どのような機器を使用中であっても、急に詳細なデータを把握する必要が生じることがあり、印刷機器との連携は欠かすことができない。
【０００４】
例えば、パーソナルコンピュータから携帯端末へのデータの取り込み処理および携帯端末とパーソナルコンピュータとの同期処理を短期間で実行するコンピュータと携帯端末間のデータ連携システム及びそのデータ連携方法がある（例えば、特許文献１参照。）。
【０００５】
また、例えば、変更ログを統合して通信することによって、パーソナルコンピュータ、ＰＤＡ、携帯電話といった機器の間で情報単位群を効率的に同期する手段を示す変更ログを統合化および最適化する方法がある（例えば、特許文献２参照。）。
【０００６】
また、例えば、ハイパーテキストのリンクＩＤをバーコードで印刷し、紙からハイパーテキスト情報へ容易にアクセスする情報提示装置がある（例えば、特許文献３参照。）。
【０００７】
また、例えば、ウェブページの表示を携帯機器の小さな画面に合わせて変更する研究が示されている（例えば、非特許文献１参照。）。
【特許文献１】特開平１１−３１２１７８号公報
【特許文献２】特開２００２−１６３１３７号公報
【特許文献３】特開平６−３４２４２６号公報
【非特許文献１】Timothy Bickmore and Bill Schilit. "Digestor: Device-Independent Access to the World-Wide Web. "Proceedings Sixth International World Wide Web Conference, Santa Clara, California, April, 1997.
【発明の開示】
【発明が解決しようとする課題】
【０００８】
しかし、特許文献１に記載の技術においては、主データベースと携帯機器において保持するデータ構造との関係を定義し、同期するもので、同期された情報の詳細を印刷・提示するための技術ではない。
【０００９】
また、特許文献２に記載の技術は、同期における通信を効率化するためのものであり、上記課題を解決するものではない。
【００１０】
また、特許文献３に記載の技術は、紙に印刷されたハイパーテキストのリンクをたどるための操作を操作を容易にするためのものであり、ＰＤＡ等で同期されたデータの詳細の印刷・提示を対象とするものではない。
【００１１】
また、非特許文献１に記載の技術は、表示領域が小さいことに着目しており、携帯機器と通常のパーソナルコンピュータに保持される情報単位群を同期させるためのものではなく、詳細情報の印刷・提示を考慮したものではない。
【００１２】
そこで、本発明は、様々な能力を持った携帯機器を複数使用するような環境において、各携帯機器から入力された情報を各機器の性能に合わせたデータ構造に適切に同期することを可能にするとともに、そのように同期されたデータを、必要に応じてサーバ上にある詳細情報を簡単に印刷・提示することができる環境を構築することを可能にする情報処理プログラム、情報管理装置、出力装置、クライアント装置、情報処理システムおよびその情報処理方法を提供することを目的とする。
【課題を解決するための手段】
【００１３】
上記目的を達成するため、請求項１の発明は、ネットワークを介してクライアント装置と出力装置と接続する情報管理装置を動作させる情報処理プログラムにおいて、情報単位の集合である情報単位群を保持手段に保持する処理と、前記クライアント装置から送付された出力対象の情報単位を、前記保持手段から取り出る処理と、前記クライアント装置から送付された出力装置に対して、前記取り出した出力対象の情報単位の出力を依頼する処理とを情報管理装置に動作させることを特徴とする。
【００１４】
また、請求項２の発明は、ネットワークを介してクライアント装置と出力装置と接続する情報管理装置を動作させる情報処理プログラムにおいて、前記情報単位の集合である情報単位群を保持手段に保持する処理と、前記出力装置から要求された情報単位を、前記保持手段から取り出す処理と、該取り出した情報単位を、前記出力装置に対して送付する処理とを情報管理装置に動作させることを特徴とする。
【００１５】
また、請求項３の発明は、ネットワークを介してクライアント装置と情報管理装置と接続する出力装置を動作させる情報処理プログラムにおいて、前記出力装置の特定情報を提示する処理と、前記情報処理装置から依頼された情報単位の出力を行う処理とを出力装置に動作させることを特徴とする。
【００１６】
また、請求項４の発明は、請求項３の発明において、前記特定情報は、画像認識処理に適した形態で提示することを特徴とする。
【００１７】
また、請求項５の発明は、請求項３の発明において、前記出力は、前記情報単位の画像を印刷することであることを特徴とする。
【００１８】
また、請求項６の発明は、請求項３の発明において、前記出力は、前記情報単位の画像を表示手段に表示することを特徴とする。
【００１９】
また、請求項７の発明は、ネットワークを介してクライアント装置と情報管理装置と接続する出力装置を動作させる情報処理プログラムにおいて、前記クライアント装置で提示された特定情報を読み取る処理と、該読み取った特定情報に基づき、前記クライアント装置が指定した出力対象の情報単位を認識する処理と、該認識した情報単位を、前記情報管理装置に対して要求する処理と、前記情報管理装置から送付された情報単位を出力する処理とを出力装置に動作させることを特徴とする。
【００２０】
また、請求項８の発明は、請求項７の発明において、前記特定情報が画像認識処理に適した形態である場合は、該特定情報を画像認識処理することを特徴とする。
【００２１】
また、請求項９の発明は、請求項７の発明において、前記出力は、前記情報単位の画像を印刷することであることを特徴とする。
【００２２】
また、請求項１０の発明は、請求項７の発明において、前記出力は、前記情報単位の画像を表示手段に表示することを特徴とする。
【００２３】
また、請求項１１の発明は、ネットワークを介して情報管理装置と出力装置と接続するクライアント装置を動作させる情報処理プログラムにおいて、前記管理情報装置から取得した情報単位の集合である情報単位群を保持手段に保持する処理と、前記保持手段に保持されている情報単位を出力対象として指定する処理と、前記出力対象として指定した情報単位の出力先である出力装置が提示する該出力装置の特定情報を読み取る処理と、該読み取った特定情報に基づき、前記出力装置のネットワーク上の場所情報を認識する処理と、前記情報管理装置に対して、前記情報単位の特定情報および前記認識した出力装置のネットワーク上の場所情報を送付する処理とをクライアント装置に動作させることを特徴とする。
【００２４】
また、請求項１２の発明は、請求項１１の発明において、前記特定情報が画像認識処理に適した形態である場合は、該特定情報を画像認識処理することを特徴とする。
【００２５】
また、請求項１３の発明は、ネットワークを介して情報管理装置と出力装置と接続するクライアント装置を動作させる情報処理プログラムにおいて、前記管理情報装置から取得した情報単位の集合である情報単位群を保持手段に保持する処理と、前記保持手段に保持されている情報単位を出力対象として指定する処理と、前記出力対象として指定した情報単位の特定情報を提示する処理とをクライアント装置に動作させることを特徴とする。
【００２６】
また、請求項１４の発明は、請求項１３の発明において、前記特定情報は、画像認識処理に適した形態で提示することを特徴とする。
【００２７】
また、請求項１５の発明は、ネットワークを介してクライアント装置と出力装置と接続する情報管理装置において、情報単位の集合である情報単位群を保持する情報単位群保持手段と、前記クライアント装置から送付された情報単位の特定情報に基づき、前記情報単位群保持手段から該情報単位を取り出す情報単位取出し手段と、前記クライアント装置から送付された出力装置のネットワーク上の場所情報に基づき、該出力装置に対して、前記情報単位取出し手段で取り出した情報単位の出力を依頼する出力依頼手段とを具備することを特徴とする。
【００２８】
また、請求項１６の発明は、ネットワークを介してクライアント装置と出力装置と接続する情報管理装置において、情報単位の集合である情報単位群を保持する情報単位群保持手段と、前記出力装置から要求された情報単位を、前記情報単位群保持手段から取り出す情報単位取出し手段と、前記情報単位取出し手段で取り出した情報単位を、前記出力装置に対して送付する送付手段とを具備することを特徴とする。
【００２９】
また、請求項１７の発明は、ネットワークを介してクライアント装置と情報管理装置と接続する出力装置において、  前記ネットワーク上の場所情報を提示する場所情報提示手段と、前記情報管理装置から依頼された情報単位の出力を行う出力手段とを具備することを特徴とする。
【００３０】
また、請求項１８の発明は、ネットワークを介してクライアント装置と情報管理装置と接続する出力装置において、前記クライアント装置で提示された情報単位の特定情報を読み取る特定情報読取手段と、前記特定情報読取手段で読み取った特定情報に基づき、前記クライアント装置で指定された出力対象の情報単位を認識する情報単位認識手段と、前記情報単位認識手段で認識した情報単位を、前記情報管理装置に対して要求する情報単位要求手段と、前記情報管理装置から送付された情報単位を出力する出力手段とを具備することを特徴とする。
【００３１】
また、請求項１９の発明は、ネットワークを介して情報管理装置と出力装置と接続するクライアント装置において、前記情報管理装置から取得した情報単位の集合である情報単位群を保持する情報単位群保持手段と、前記情報単位保持手段に保持されている情報単位を出力対象として指定する出力対象指定手段と、前記出力対象指定手段で指定した情報単位の出力先である出力装置が提示する該出力装置の特定情報を読み取る特定情報読取手段と、前記特定情報読取手段で読み取った特定情報に基づき、前記出力装置のネットワーク上の場所情報を認識する場所情報認識手段と、前記情報管理装置に対して、前記情報単位の特定情報および前記認識した出力装置のネットワーク上の場所情報を送付する送付手段とを具備することを特徴とする。
【００３２】
また、請求項２０の発明は、ネットワークを介して情報管理装置と出力装置と接続するクライアント装置において、前記情報管理装置から取得した情報単位の集合である情報単位群を保持する情報単位群保持手段と、前記情報単位保持手段に保持されている情報単位を出力対象として指定する出力対象指定手段と、前記出力対象指定手段で指定した情報単位の特定情報を提示する特定情報提示手段とを具備することを特徴とする。
【００３３】
また、請求項２１の発明は、ネットワークを介してクライアント装置と情報管理装置と出力装置とが接続する情報処理システムにおいて、前記クライアント装置は、前記情報管理装置から取得した情報単位の集合である情報単位群を保持する第１の情報単位群保持手段と、前記第１の情報単位保持手段に保持されている情報単位を出力対象として指定する出力対象指定手段と、前記出力対象指定手段で指定した情報単位の出力先である出力装置が提示する該出力装置の特定情報を読み取る特定情報読取手段と、前記特定情報読取手段で読み取った特定情報に基づき、前記出力装置のネットワーク上の場所情報を認識する場所情報認識手段と、前記情報管理装置に対して、前記情報単位の特定情報および前記認識した出力装置のネットワーク上の場所情報を送付する送付手段とを具備し、前記情報管理装置は、前記情報単位の集合である情報単位群を保持する第２の情報単位群保持手段と、前記クライアント装置の送付手段から送付された情報単位の特定情報に基づき、前記第２の情報単位群保持手段から該情報単位を取り出す情報単位取出し手段と、前記クライアント装置の送付手段から送付された出力装置のネットワーク上の場所情報に基づき、該出力装置に対して、前記情報単位取出し手段で取り出した情報単位の出力を依頼する出力依頼手段とを具備し、前記出力装置は、前記出力装置のネットワーク上の場所情報を提示する場所情報提示手段と、前記情報管理装置の出力依頼手段から依頼された情報単位の出力を行う出力手段とを具備することを特徴とする。
【００３４】
また、請求項２２の発明は、ネットワークを介してクライアント装置と情報管理装置と出力装置とが接続する情報処理システムにおいて、前記クライアント装置は、前記情報管理装置から取得した情報単位の集合である情報単位群を保持する第１の情報単位群保持手段と、前記第１の情報単位保持手段に保持されている情報単位を出力対象として指定する出力対象指定手段と、前記出力対象指定手段で指定した情報単位の特定情報を提示する特定情報提示手段とを具備し、前記出力装置は、前記クライアント装置の特定情報提示手段で提示した情報単位の特定情報を読み取る特定情報読取手段と、前記特定情報読取手段で読み取った特定情報に基づき、前記クライアント装置の出力対象指定手段で指定した出力対象の情報単位を認識する情報単位認識手段と、前記情報単位認識手段で認識した情報単位を、前記情報管理装置に対して要求する情報単位要求手段と、前記情報管理装置から送付された情報単位を出力する出力手段とを具備し、前記情報管理装置は、前記情報単位の集合である情報単位群を保持する第２の情報単位群保持手段と、前記出力装置の情報単位要求手段から要求された情報単位を、前記第２の情報単位群保持手段から取り出す情報単位取出し手段と、前記情報単位取出し手段で取り出した情報単位を、前記出力装置に対して送付する送付手段とを具備することを特徴とする。
【００３５】
また、請求項２３の発明は、ネットワークを介してクライアント装置と情報管理装置と出力装置とが接続する情報処理システムの情報処理方法において、前記クライアント装置は、前記情報管理装置から取得した情報単位の集合である情報単位群の中から情報単位を出力対象として指定し、該指定した情報単位の出力先である出力装置が提示する該出力装置の特定情報を読み取り、該読み取った特定情報に基づき、前記出力装置のネットワーク上の場所情報を認識し、前記情報管理装置に対して、前記情報単位の特定情報および前記認識した出力装置のネットワーク上の場所情報を送付し、前記情報管理装置は、前記クライアント装置の送付手段から送付された情報単位の特定情報に基づき、保持している情報単位群から該情報単位を取り出し、前記クライアント装置から送付された出力装置のネットワーク上の場所情報に基づき、該出力装置に対して、前記取り出した情報単位の出力を依頼し、前記出力装置は、前記情報管理装置から依頼された情報単位の出力を行うことを特徴とする。
【００３６】
また、請求項２４の発明は、ネットワークを介してクライアント装置と情報管理装置と出力装置とが接続する情報処理システムの情報処理方法において、前記クライアント装置は、前記情報管理装置から取得した情報単位の集合である情報単位群の中から情報単位を出力対象として指定し、該指定した情報単位の特定情報を提示し、前記出力装置は、前記クライアント装置で提示された情報単位の特定情報を読み取り、該読み取った特定情報に基づき、前記クライアント装置で指定された出力対象の情報単位を認識し、該認識した情報単位を、前記情報管理装置に対して要求し、前記情報管理装置は、前記情報単位群を保持する第２の情報単位群保持手段と、前記出力装置の情報単位要求手段から要求された情報単位を、保持している情報単位群から該情報単位を取り出し、該取り出した情報単位前記出力装置に対して送付し、前記出力装置は、前記情報管理装置から送付された情報単位を出力することを特徴とする。
【発明の効果】
【００３７】
本発明によれば、画面サイズ、保存可能な情報量に差がある様々なクライアントにおいて、各クライアントの能力に合わせた形態で同期された情報を簡単な操作で詳細な情報の印刷・提示を行うことができるという効果を奏する。
【発明を実施するための最良の形態】
【００３８】
以下、本発明に係るの実施の形態について添付図面を参照して詳細に説明する。
【００３９】
図１は、本発明を適用した情報処理システム１のシステム構成の一例を示す図である。
【００４０】
図１に示すように、情報処理システムは、情報処理端末であるノートＰＣ、ＰＤＡ、携帯電話等のクライアント２と、情報単位を同期させるサーバ３と、情報単位を印刷・提示する印刷提示サーバ４とがネットワーク５を介して接続されて構成されている。
【００４１】
なお、クライアント２は、本発明に係る情報処理プログラムがインストールされ、ＯＳ［Operating System］の機能を利用して情報処理プログラムを実行し、サーバ３は、本発明に係る情報単位同期プログラムがインストールされ、ＯＳの機能を利用して情報単位同期プログラムを実行し、印刷提示サーバ４は、本発明に係る印刷提示プログラムがインストールされ、ＯＳの機能を利用して印刷提示プログラムを実行している。
【００４２】
ここで、情報単位とは、名称（見出し）を有するひとかたまりの情報を示す。
【００４３】
情報の最も基本的なものは文字列であるが、画像、音声、動画等の電子的に表現できるものであれば、どのようなものでも構わない。
【００４４】
更に、情報単位群とは、情報単位の集合を示す。
【００４５】
情報単位群がファイルシステム上に複数、しかも他のファイルと混在して存在している状況を想定している。
【実施例１】
【００４６】
実施例１では、情報単位の同期結果を印刷提示サーバ４を特定して印刷する処理を実現する構成について説明する。
【００４７】
図２は、実施例１におけるクライアント２、サーバ３および印刷提示サーバ４の機能的な構成の一例を示すブロック図である。
【００４８】
図２に示すように、クライアント２は、情報単位入力部６、クライアント情報単位群保持部７、検索条件入力部８、情報単位検索部９、情報単位提示部１０、印刷提示サーバアドレス撮影部１１、印刷提示サーバアドレス認識部１２、クライアント印刷提示制御部１３を具備して構成される。
【００４９】
情報単位入力部６は、情報単位を入力する処理を行う。
【００５０】
クライアント情報単位群保持部７は、情報単位入力部６から入力された情報単位を保持する処理を行う。
【００５１】
検索条件入力部８は、クライアント情報単位群保持部７に保存される情報単位を検索する条件を入力する処理を行う。
【００５２】
情報単位検索部９は、検索条件入力部８で入力された条件に基づいてクライアント情報単位群保持部７を検索する処理を行う。
【００５３】
情報単位提示部１０は、情報単位検索部９で検索された情報単位を提示する処理を行う。
【００５４】
印刷提示サーバアドレス撮影部１１は、印刷提示サーバ４のアドレスを表現する画像（以後、アドレス画像と称する）を撮影する処理を行う。
【００５５】
印刷提示サーバアドレス認識部１２は、印刷提示サーバアドレス撮影部１１によって撮影されたアドレス画像を認識して印刷提示サーバ４のアドレス文字列を取得する処理を行う。
【００５６】
クライアント印刷提示制御部１３は、情報単位提示部１０によって特定された情報単位からサーバ３に保持されている情報単位を特定し、印刷提示サーバアドレス認識部１２によって認識されたアドレス文字列で特定される印刷提示サーバ４に印刷する指示を出す処理を行う。
【００５７】
また、図２に示すように、サーバ３は、サーバ情報単位群保持部１４、情報単位群同期部１５、サーバ印刷提示制御部１６を具備して構成される。
【００５８】
サーバ情報単位群保持部１４は、複数の情報単位を保持する処理を行う。
【００５９】
情報単位群同期部１５は、クライアント２のクライアント情報単位群保持部７に保持される情報単位群とサーバ情報単位群保持部１４に保持される情報単位群とを同期する処理を行う。
【００６０】
サーバ印刷提示制御部１６は、クライアント印刷提示制御部１３からの指示に基づいてサーバ情報単位群保持部１４を検索し、指示された情報単位を指示された印刷提示サーバ４へ送付する処理を行う。
【００６１】
また、図２に示すように、印刷提示サーバ４は、印刷提示サーバアドレス表示部１７、印刷提示サーバ制御部１８、印刷提示部１９を具備して構成される。
【００６２】
印刷提示サーバアドレス表示部１７は、印刷提示サーバ４のアドレスを表現するアドレス画像を画像処理によって容易に認識可能な状態で表示する。
【００６３】
印刷提示サーバ制御部１８は、サーバ３のサーバ印刷提示制御部１６から送付された情報単位を受け取って印刷・提示処理を制御する。
【００６４】
印刷提示部１９は、印刷提示サーバ制御部１８からの指示に基づいて情報単位を印刷・提示する処理を行う。
【００６５】
次に、クライアント、サーバおよび印刷提示サーバで行われる情報単位の印刷処理について図３に示すフローチャートを参照して説明する。
【００６６】
ユーザがクライアントの検索情報入力部に検索条件を入力し（ステップＳ３０１）、情報単位検索部がクライアント単位群保持部に保持されている情報単位から、検索条件に合致した情報単位を検索し（ステップＳ３０２）、検索結果の見出しリストを情報単位提示部に提示する（ステップＳ３０３）。そして、ユーザが見出しリストの中から情報単位を１つ選択する（ステップＳ３０４）。そして、ユーザが印刷コマンドを起動して、選択した情報単位の情報単位のＩＤを取得し、印刷対象として指定する（ステップＳ３０５）。
【００６７】
図４は、情報単位の検索から印刷対象として指定するまでをクライアント２で実施した際の情報単位提示部１０に表示される画面遷移を示す図である。
【００６８】
図４（ａ）に示す画面内の検索キー入力欄に「昆虫」という検索キー（即ち、検索条件）を入力し、画面内の検索ボタンを押下等すると、「昆虫」を検索キーとした検索が行われ、図４（ｂ）に示す画面が表示される。図４（ｂ）は検索結果の見出しリストを示す画面であり、その見出しリストの中から「ヒラタクワガタ」の情報単位を１つ選択すると、図４（ｃ）に示す画面が表示される。図４（ｃ）は「ヒラタクワガタ」について説明する説明情報および「ヒラタクワガタ」の添付ファイル（例えば、画像情報等）の格納先のアドレスが表示された画面であり、その画面内の印刷ボタンを押下等すると、添付ファイルを印刷対象として指定できる。
【００６９】
図３に示すフローチャートの説明を続ける。
【００７０】
情報単位を印刷対象として指定すると、ユーザは印刷提示サーバを操作して印刷提示サーバアドレス表示部に印刷提示サーバのアドレスを提示する（ステップＳ３０６）。
【００７１】
ここで、印刷提示サーバ４のアドレスは、元々は、「http://serber.co.jp/printers/okinawa/#001」といった文字列であり、その文字列が、例えば、２次元バーコードのような、画像処理によって容易に認識できる形態で提示される。提示方法としては、図５に示すように、予めアドレス画像を印刷し、印刷したアドレス画像を印刷提示サーバ４の構成体に貼り付ける方法、または、図６に示すように、印刷提示サーバ４がディスプレイ等の表示装置を有している場合はアドレス画像をディスプレイに表示する方法がある。
【００７２】
図３に示すフローチャートの説明を続ける。
【００７３】
ユーザは印刷提示サーバアドレス表示部に表示されているアドレス画像をクライアントの印刷提示サーバアドレス撮影部によって撮影し（ステップＳ３０７）、撮影したアドレス画像は、印刷提示サーバアドレス認識部によって、アドレス文字列として認識し（ステップＳ３０８）、クライアント印刷提示制御部は、先に指定された印刷対象の情報単位と印刷先の印刷提示サーバアドレスとの情報を、サーバのサーバ印刷提示制御部に送付する（ステップＳ３０９）。
【００７４】
図７は、アドレス画像の撮影から印刷指示までをクライアント２で実施した際の情報単位提示部１０に表示される画面遷移を示す図である。
【００７５】
図７（ａ）は印刷提示サーバ４のアドレス画像を撮影した際の画面であり、図７（ｂ）は撮影したアドレス画像をアドレス文字列として認識した際の画面であり、図７（ｃ）は先に指定された印刷対象の情報単位の格納先のアドレスおよびアドレス画像から認識した印刷先の印刷提示サーバアドレスが表示された画面であり、その画面内の実行ボタンを押下等すると、印刷指示が出される。
【００７６】
図３に示すフローチャートの説明を続ける。
【００７７】
サーバ印刷提示制御部はサーバ情報単位群保持部から指定された情報単位を取り出し、取り出した情報単位を印刷提示サーバアドレスで指定された印刷定時サーバの印刷提示サーバ制御部に送付し（ステップＳ３１０）、情報単位を受け取った印刷提示サーバ制御部は、印刷提示部を制御して、指定された情報単位の印刷画像を生成して印刷する（ステップＳ３１１）。以上により、情報単位の印刷処理を終了する。
【００７８】
図３に示すフローチャートでは、ステップＳ３１１で印刷する処理を示したが、処理の目的はＰＤＡ、携帯電話等において表示しきれない情報単位を提示することであり、単にディスプレイ等の表示装置に詳細な情報単位の画像情報を提示しても良い。例えば、図８に示すように、印刷画像を印刷する代わりに、印刷提示サーバのディスプレイ２０に情報単位を表示しても良い。
【００７９】
また、本実施例においては、アドレス画像の認識率を向上させるために、２次元バーコードを一例にしたが、人間にとって可読な通常の文字列を表示し、文字認識処理によってアドレスを取得する方法を適用しても良い。
【実施例２】
【００８０】
実施例２では、情報単位の同期結果を情報単位のＩＤ（以後、情報単位ＩＤと称する）を特定して印刷する処理を実現する構成について説明する。
【００８１】
図９は、実施例２におけるクライアント２、サーバ３および印刷提示サーバ４の機能的な構成の一例を示すブロック図である。
【００８２】
図９に示すように、クライアント２は、情報単位入力部６、クライアント情報単位群保持部７、検索条件入力部８、情報単位検索部９、情報単位提示部１０、情報単位ＩＤ表示部２１を具備して構成される。
【００８３】
情報単位入力部６は、情報単位を入力する処理を行う。
【００８４】
クライアント情報単位群保持部７は、情報単位入力部６から入力された情報単位を保持する処理を行う。
【００８５】
検索条件入力部８は、クライアント情報単位群保持部７に保存される情報単位を検索する条件を入力する処理を行う。
【００８６】
情報単位検索部９は、検索条件入力部８で入力された条件に基づいてクライアント情報単位群保持部７を検索する処理を行う。
【００８７】
情報単位提示部１０は、情報単位検索部９で検索された情報単位を提示する処理を行う。
【００８８】
情報単位ＩＤ表示部２１は、情報単位提示部１０に提示された情報単位ＩＤを、例えば、２次元バーコードのような、画像処理によって容易に認識できる形態で表示する処理を行う。
【００８９】
また、図９に示すように、サーバ３は、サーバ情報単位群保持部１４、情報単位群同期部１５、サーバ印刷提示制御部１６を具備して構成される。
【００９０】
サーバ情報単位群保持部１４は、複数の情報単位を保持する処理を行う。
【００９１】
情報単位群同期部１５は、クライアント２のクライアント情報単位群保持部７に保持される情報単位群とサーバ情報単位群保持部１４に保持される情報単位群とを同期する処理を行う。
【００９２】
サーバ印刷提示制御部１６は、印刷提示サーバ４からの指示に基づいてサーバ情報単位群保持部１４を検索し、指示された情報単位を指示された印刷提示サーバ４へ送付する処理を行う。
【００９３】
また、図９に示すように、印刷提示サーバ４は、情報単位ＩＤ撮影部２２、情報単位ＩＤ認識部２３、印刷提示サーバ制御部１８、印刷提示部１９を具備して構成される。
【００９４】
情報単位ＩＤ撮影部２２は、クライアント２の情報単位ＩＤ表示部２１に表示される画像を撮影する処理を行う。
【００９５】
情報単位ＩＤ認識部２３は、情報単位ＩＤ撮影部２２によって撮影された画像から情報単位ＩＤの文字列を認識する処理を行う。
【００９６】
印刷提示サーバ制御部１８は、サーバ３のサーバ印刷提示制御部１６から送付された情報単位を受け取って印刷・提示処理を制御する。
【００９７】
印刷提示部１９は、印刷提示サーバ制御部１８からの指示に基づいて情報単位を印刷・提示する処理を行う。
【００９８】
次に、クライアント、サーバおよび印刷提示サーバで行われる情報単位の印刷処理について図１０に示すフローチャートを参照して説明する。
【００９９】
ユーザがクライアントの検索情報入力部に検索条件を入力し（ステップＳ１００１）、情報単位検索部がクライアント単位群保持部に保持されている情報単位から、検索条件に合致した情報単位を検索し（ステップＳ１００２）、検索結果の見出しリストを情報単位提示部に提示する（ステップＳ１００３）。そして、ユーザが見出しリストの中から情報単位を１つ選択する（ステップＳ１００４）。そして、ユーザが印刷コマンドを起動して、選択した情報単位の情報単位ＩＤを取得し、印刷対象として指定し、取得した情報単位ＩＤを情報単位ＩＤ表示部に表示する（ステップＳ１００５）。
【０１００】
ここで、情報単位ＩＤは、元々は、「http://server.co.jp/Storage/Document-07482」といった文字列であり、その文字列が、例えば、２次元バーコードのような、画像処理によって容易に認識できる形態で表示される。
【０１０１】
図１１は、クライアント２の情報単位ＩＤ表示部２１に情報単位ＩＤを表示した例を示す図である。
【０１０２】
図１１（ａ）は「ヒラタクワガタ」について説明する説明情報および「ヒラタクワガタ」の添付ファイル（例えば、画像情報等）の格納先のアドレス（即ち、情報単位ＩＤ）が表示された画面であり、その画面内の印刷ボタンを押下等すると、情報単位ＩＤを表す画像が生成され、図１１（ｂ）に示すように、情報単位ＩＤを表す画像が情報単位ＩＤ表示部に表示される。
【０１０３】
図１０に示すフローチャートの説明を続ける。
【０１０４】
情報単位ＩＤを表す画像が表示されると、ユーザは、この画像を印刷提示サーバの情報単位ＩＤ撮影手段によって撮影する（ステップＳ１００６）。なお、図１２は、印刷提示サーバの情報単位ＩＤ撮影部２２によって情報単位ＩＤを表す画像が撮影されている様子を示す図である。
【０１０５】
情報単位ＩＤ撮影部によって撮影された情報単位ＩＤを表す画像は、情報単位ＩＤ認識部によって、情報単位ＩＤの文字列として認識され、印刷提示サーバ制御部は、サーバのサーバ印刷提示制御部を介して情報単位ＩＤで指示された情報単位をサーバ情報単位群保持部から取得し（ステップＳ１００７）、印刷提示部が印刷画像を生成し、印刷する（ステップＳ１００８）。以上により、情報単位の印刷処理を終了する。
【０１０６】
図１０に示すフローチャートでは、ステップＳ１００８で印刷する処理を示したが、処理の目的はＰＤＡ、携帯電話等において表示しきれない情報単位を提示することであり、短にディスプレイ等の表示装置に詳細な情報単位の画像情報を提示しても良い。例えば、実施例１で説明した図８に示すように、印刷画像を印刷する代わりに、印刷提示サーバのディスプレイに情報単位を表示しても良い。
【０１０７】
また、本実施例においては、アドレス画像の認識率を向上させるために、２次元バーコードを一例にしたが、人間にとって可読な通常の文字列を表示し、文字認識処理によってアドレスを取得する方法を適用しても良い。
【図面の簡単な説明】
【０１０８】
【図１】本発明を適用した情報処理システムのシステム構成の一例を示す図である。
【図２】実施例１におけるクライアント、サーバおよび印刷提示サーバの機能的な構成の一例を示すブロック図である。
【図３】クライアント、サーバおよび印刷提示サーバで行われる情報単位の印刷処理を示すフローチャートである。
【図４】情報単位の検索から印刷対象として指定するまでをクライアントで実施した際の情報単位提示部に表示される画面遷移を示す図である。
【図５】印刷したアドレス画像を印刷提示サーバの構成体に貼り付ける構成の一例を示す図である。
【図６】アドレス画像をディスプレイに表示する構成の一例を示す図である。
【図７】アドレス画像の撮影から印刷指示までをクライアントで実施した際の情報単位提示部に表示される画面遷移を示す図である。
【図８】印刷提示サーバのディスプレイに情報単位を表示する構成の一例を示す図である。
【図９】実施例２におけるクライアント、サーバおよび印刷提示サーバの機能的な構成の一例を示すブロック図である。
【図１０】クライアント、サーバおよび印刷提示サーバで行われる情報単位の印刷処理を示すフローチャートである。
【図１１】クライアントの情報単位ＩＤ表示部に情報単位ＩＤを表示した例を示す図である。
【図１２】印刷提示サーバの情報単位ＩＤ撮影部によって情報単位ＩＤを表す画像が撮影されている様子を示す図である。
【符号の説明】
【０１０９】
１    情報処理システム
２    クライアント
３    サーバ
４    印刷提示サーバ
５    ネットワーク
６    情報単位入力部
７    クライアント情報単位群保持部
８    検索条件入力部
９    情報単位検索部
１０    情報単位提示部
１１    印刷提示サーバアドレス撮影部
１２    印刷提示サーバアドレス認識部
１３    クライアント印刷提示制御部
１４    サーバ情報単位群保持部
１５    情報単位群同期部
１６    サーバ印刷提示制御部
１７    印刷提示サーバアドレス表示部
１８    印刷提示サーバ制御部
１９    印刷提示部
２０    ディスプレイ
２１    情報単位ＩＤ表示部
２２    情報単位ＩＤ撮影部
２３    情報単位ＩＤ認識部
【図１】
2006277029.tif 000003
【図２】
2006277029.tif 000004
【図３】
2006277029.tif 000005
【図４】
2006277029.tif 000006
【図５】
2006277029.tif 000007
【図６】
2006277029.tif 000008
【図７】
2006277029.tif 000009
【図８】
2006277029.tif 000010
【図９】
2006277029.tif 000011
【図１０】
2006277029.tif 000012
【図１１】
2006277029.tif 000013
【図１２】
2006277029.tif 000014